(57)【要約】電気泳動ディスプレイは、電気泳動材料８，９、第一の電極６及び第二の電極５を含む少なくとも１つの画素１８を有する。アドレス指定回路１６，１０は、（i）該少なくとも１つの画素１８により到達される光学的状態に従うレベルをもつ駆動パルスＶdr、及び（ii）該少なくとも１つの画素１８の光学的状態に依存するエネルギーコンテンツを有する一連のシェイキングパルスＳＰを、該第一の電極６と該第二の電極５との間に印加することで該少なくとも１つの画素１８をアドレス指定する。
2005526996.tif 000002
【特許請求の範囲】
【請求項１】
電気泳動材料、第一の電極及び第二の電極を含む少なくとも１つの画素と、
該少なくとも１つの画素により到達されるべき光学的状態に従うレベルを有する駆動パルスと、イメージリテンションを低減するための一連のシェイキングパルスであって、該少なくとも１つの画素の光学的状態に依存するエネルギーのコンテンツを有する一連のシェイキングパルスとを、該第一の電極と該第二の電極との間に印加することで該少なくとも１つの画素をアドレス指定するアドレス指定回路と、
を有する電気泳動ディスプレイ。
【請求項２】
該アドレス指定回路は、該少なくとも１つの画素の光学的状態に依存して該一連のシェイキングパルスのパルス数を制御することで該エネルギーコンテンツを変化するために配置される、
請求項１記載の電気泳動ディスプレイ。
【請求項３】
該アドレス指定回路は、該少なくとも１つの画素の光学的状態に依存して該一連のシェイキングパルスのパルス繰返し周期を制御することで該エネルギーコンテンツを変化するために配置される、
請求項１記載の電気泳動ディスプレイ。
【請求項４】
該アドレス指定回路は、該少なくとも１つの画素の光学的状態に依存して該一連のシェイキングパルスのパルス振幅を制御することで該エネルギーコンテンツを変化させるために配置される、
請求項１記載の電気泳動ディスプレイ。
【請求項５】
該アドレス指定回路は、該少なくとも１つの画素の中間の光学的状態よりも、該少なくとも１つの画素の限界となる光学的状態の近く、又は該光学的状態で高いエネルギーコンテンツを得るため、エネルギーコンテンツを変化するために配置される、
請求項１記載の電気泳動ディスプレイ。
【請求項６】
該アドレス指定回路は、リセットパルスに先行する該一連のシェイキングパルスを供給するために配置され、該リセットパルスは、該少なくとも１つの画素の限界の光学的状態を得るために該駆動パルスに先行する、
請求項１記載の電気泳動ディスプレイ。
【請求項７】
該アドレス指定回路は、該駆動パルスの直前の該一連のシェイキングパルスを供給するために配置される、
請求項１記載の電気泳動ディスプレイ。
【請求項８】
請求項１乃至７のいずれか記載の電気泳動ディスプレイを有するディスプレイ装置。
【請求項９】
電気泳動材料、第一の電極及び第二の電極を含む少なくとも１つの画素をもつ電気泳動ディスプレイをアドレス指定する方法であって、
該少なくとも１つの画素により到達されるべき光学的状態に従うレベルを有する駆動パルスと、イメージリテンションを低減するための一連のシェイキングパルスであって、該少なくとも１つの画素の光学的状態に依存するエネルギーのコンテンツを有する一連のシェイキングパルスとを、該第一の電極と該第二の電極との間に印加することで、該少なくとも１つの画素をアドレス指定するステップを有する方法。
【発明の詳細な説明】
【技術分野】
【０００１】
本発明は、電気泳動ディスプレイ、かかる電気泳動ディスプレイを有するディスプレイ装置、及びかかる電気泳動ディスプレイをアドレス指定する方法に関する。
【背景技術】
【０００２】
開始節で説明されたタイプのディスプレイ装置は、国際特許出願WO99/53373号から知られている。この特許出願は、２つの基板を有する電子インクディスプレイを開示しており、２つの基板のうちの一方は透明であり、他方の基板には、行及び列に配列される電極が設けられている。表示素子すなわち画素は、行電極及び列電極の交点に関連される。それぞれの表示素子は、薄膜トランジスタ（ＴＦＴと更に呼ばれる）の主要な電極を介して列電極に結合されている。ＴＦＴのゲートは、行電極に結合される。表示素子、ＴＦＴ並びに行及び列電極からなるこの構成は、アクティブマトリクス型ディスプレイ装置を互いに形成している。
【０００３】
それぞれの画素は、ＴＦＴを介して列電極に接続されている画素の電極である画素電極を有している。イメージアップデートすなわちイメージリフレッシュ期間の間、行ドライバは、全ての行の表示素子を１つ毎に選択するために制御され、列ドライバは、列電極及びＴＦＴを介して、選択された行の表示素子に並列にデータ信号を供給するために制御される。データ信号は、表示されるべきイメージデータに対応する。
【０００４】
さらに、透明電極に設けられている画素電極と共通電極との間に電子インクが供給される。したがって、電子インクは、共通電極と画素電極との間に挟まれる。電子インクは、約１０〜５０ミクロンの多数のマイクロカプセルを有している。それぞれのマイクロカプセルは、液体に浮遊された正に帯電した白色粒子と負に帯電した黒色粒子を有している。正電圧が画素電極に印加されたとき、白色粒子は、透明電極に向けられるマイクロカプセル側に移動し、表示素子は、見る人にとって白色に見える。同時に、黒色粒子は、マイクロカプセルの反対側にある画素電極に移動し、この画素電極で、黒色粒子は、見る人から隠される。負の電圧を画素電極に印加することで、黒色粒子は、透明電極に向けられるマイクロカプセルの側にある共通電極に移動し、表示素子は、見る人にとって暗く見える。電界が除かれたとき、表示素子は、取得された状態のままであり、２つの状態の特性を示す。その黒色粒子と白色粒子によるこの電子インクディスプレイは、電子ブックとして特に有効である。
【０００５】
グレイスケールは、マイクロカプセルの上部にある共通電極に移動する粒子の量を制御することで、表示装置で形成することができる。たとえば、正の電界又は負の電界のエネルギーは、電界強度と印加時間との積として定義され、マイクロカプセルの上部に移動する粒子の量を制御する。
【０００６】
公知の表示装置は、いわゆるイメージリテンションを示す。画像が変化した後、前の画像の静止の残像が目に見える。
【０００７】
欧州特許出願02077017.8及び03100133.2として出願されている、PHNL020441及びPHNL030091として引用される出願人番号に係る公開されていない特許出願から、シェイキングパルスとも呼ばれるプリパルスを使用することでイメージリテンションを最小にすることが知られている。好ましくは、シェイキングパルスは、一連のＡＣパルスを有しているが、シェイキングパルスは、単一パルスのみを有している場合がある。前に公開された特許出願は、駆動パルスの直前、又はリセットパルスの直前、若しくはこれらの両者のいずれかでのシェイキングパルスの使用に向けられている。
【発明の開示】
【課題を解決するための手段】
【０００８】
本発明に係るシェイキングパルスは、先に引用された前に公開されていない文献のシェイキングパルスとは、それらのエネルギーが画素の光学的な状態に依存する点で異なる。シェイキングパルスのエネルギーは、それらの振幅、パルス幅又はパルス期間、若しくはこれらの組み合わせを変えることで変化される場合がある。このように、シェイキングパルスによるイメージリテンション（image  retention）とイメージアップデートの両者の可視性が低減される。先に引用された前に公開されていない文献に開示されているシェイキングパルスは、データに独立な振幅、パルス幅及びパルス期間を有している。
【０００９】
本発明の第一の態様は、請求項１に記載される電気泳動ディスプレイを提供するものである。本発明の第二の態様は、請求項８に記載されるディスプレイ装置を提供するものである。本発明の第三の態様は、請求項９に記載される電気泳動ディスプレイをアドレス指定する方法を提供するものである。本発明の有利な実施の形態は、従属の請求項において定義されている。
【００１０】
シェイキングパルスは、イメージリテンションを低減するが、画素の光学的な状態への影響を有する。このことは、多数のシェイキングパルスがイメージリテンションを十分に低減することが要求される場合に特に当てはまる。本発明の第一の態様は、等しいエネルギーのコンテンツを有するシェイキングパルスが異なる光学的状態における画素について異なる明るさの乱れを生じさせるという洞察に基づいている。異なる光学的状態における画素について、より等しい明るさの乱れを得るため、シェイキングパルスのエネルギーコンテンツは、画素の光学的状態に依存して形成される。
【００１１】
請求項２に定義される本発明に係る実施の形態では、シェイキングパルスのエネルギーコンテンツは、ある画素の光学的状態に依存して多数のシェイキングパルスを制御することで変化される。このことは、シェイキングパルスが固定された振幅及び固定されたパルス幅を有する場合に特に有効である。
【００１２】
請求項３に定義される本発明に係る実施の形態では、シェイキングパルスのエネルギーコンテンツは、少なくとも１つの画素の光学的な状態に依存して一連のシェイキングパルスのうちのパルスのパルス幅を制御することで変化される。このことは、シェイキングパルスが固定された振幅を有する場合に特に有効である。
【００１３】
請求項４に定義される本発明に係る実施の形態では、シェイキングパルスのエネルギーコンテンツは、少なくとも１つの画素の光学的状態に依存して一連のシェイキングパルスのパルスの振幅を制御することで変化される。このことは、一連のシェイキングパルスが固定された期間を有する場合に特に有効である。
【００１４】
請求項５に定義される本発明に係る実施の形態では、画素の光学的状態が２つの限界状態のうちの一方に近くなると、シェイキングパルスによる明るさの乱れが少なくなるという洞察に基づいている。電気泳動ディスプレイが白色及び黒色の粒子を有している場合、２つの限界の状態は、ホワイト（透明電極の近くにある白色粒子が黒色粒子をシールドする）及びブラック（透明電極の近くにある黒色粒子が白色粒子をシールドする）である。粒子が他の色を有する場合、限界の状態は、他の色を示される。どのようにしても、限界状態では、粒子の一方は、透明電極の近くにある。
【００１５】
ある画素の光学的状態へのシェイキングパルスの影響は、どの位多くの粒子が透明電極に最も近い位置を変えるかに依存する。画素が限界状態のうちの一方にある場合、第一のタイプの粒子は、透明電極の近くにあり、第二のタイプの粒子は透明電極から離れている。両方の粒子のタイプは、第二のタイプの粒子が第一のタイプの粒子よりも透明電極に近くになる前に、比較的長い距離にわたり移動する場合がある。このように、多数の又は比較的高いエネルギーのシェイキングパルスであっても、画素の色はほとんど変わらない。しかし、画素が中間のグレイレベルを表示する場合、粒子は互いに非常に近く、微小な動きのみが画素の光学的状態に影響を与える。このように、既に比較的低いエネルギーのシェイキングパルスは、画素の色に影響を与える場合がある。
【００１６】
より一般的に、画素の光学的状態に最小の影響を与えつつ、限界の光学的状態に近い光学的状態をもつ画素について、比較的高いエネルギーコンテンツをもつシェイキングパルスを使用することができる。限界の光学的状態の平均の色に近い光学的状態をもつ画素について、シェイキングパルスは、画素の光学的状態への余りに多くの影響を防止するため、比較的低いエネルギーコンテンツを有するべきである。
【００１７】
請求項６に記載された本発明に係る実施の形態では、一連のシェイキングパルスは、駆動パルスに先行するリセットパルスに先行する。  
請求項７に記載された本発明に係る実施の形態では、一連のシェイキングパルスは、リセットパルスと駆動パルスとの間で起こる。  
本発明のこれらの態様及び他の態様は、以下に説明される実施の形態を参照して明らかにされるであろう。
【発明を実施するための最良の形態】
【００１８】
図１は、たとえば、幾つかの表示素子のサイズに関する電気泳動ディスプレイの一部に関する断面図を概念的に示しており、この表示素子は、ベース基板２、電子インクをもつ電気泳動フィルムを有しており、この電子インクは、たとえばポリエチレンからなる２つの透明電極３及び４の間に存在している。一方の基板３には、透明な画素電極５，５’が設けられており、他方の基板４には、透明な対向電極６が設けられている。電子インクは、約１０〜５０ミクロンの多数のマイクロカプセル７を有している。それぞれのマイクロカプセル７は、液体４０に浮遊された、正に帯電された白色粒子８と負に帯電された黒色粒子９を有している。破線の物質４１は、高分子結合剤である。層３は、必ずしも必要ではなく、又は接着剤層である。正電圧ＶＤ（図２参照）が対向電極６に関して画素電極５，５’に印加されたとき、電界が発生され、この電界は、白色粒子８を対向電極６に向けられるマイクロカプセル７の側に移動し、表示素子は、見る人にとって白に見える。同時に、黒色粒子９は、マイクロカプセル７の反対側に移動し、ここで、黒色粒子は見る人から隠される。画素電極５，５’と対向電極６との間に負の駆動電圧を印加することで、黒色粒子９は、対向電極６に向けられるマイクロカプセル７の側に移動し、表示素子は、見る人（図示せず）にとって暗く見える。電界が除かれたとき、粒子７は、取得された状態のままの状態であり、ディスプレイは、２つの安定特性を示し、実質的に電力を消費しない。
【００１９】
図２は、電気泳動ディスプレイの一部に関する等価回路図による画像表示装置を概念的に示している。画像表示装置１は、アクティブスイッチング素子１９、行ドライバ１６及び列ドライバ１０が設けられる、ベース基板２に張り合わされた電気泳動フィルムを有している。好ましくは、対向電極６は、カプセル化された電気泳動インクを有するフィルム上に設けられるが、ディスプレイがインプレーン（in-plane）型の電界の使用に基づいて動作する場合には、対向電極６がベース基板に代替的に設けられる。通常、アクティブスイッチングエレメント１９は、薄膜トランジスタＴＦＴである。ディスプレイ装置１は、行又は選択電極１７と列又はデータ電極１１との交差に関連される表示素子のマトリクスを有している。行ドライバ１６は、行電極を連続的に選択し、列ドライバ１０は、選択された行電極１７について、列電極１１に並列にデータ信号を供給する。好ましくは、プロセッサ１５は、はじめに到来するデータ１３を処理して、列電極１１により供給されるべきデータ信号にする。
【００２０】
駆動ライン１２は、列ドライバ１０と行ドライバ１６との間の相互の同期を制御する信号を搬送する。  
行ドライバ１０は、適切な選択パルスをＴＦＴ１９のゲートに供給し、このＴＦＴは、関連されるＴＦＴ１９の低インピーダンスの電源電流経路を得るため、特定の行電極１７に接続される。他の行電極１７に接続されるＴＦＴ１９のゲートは、それらの電源電流経路が高インピーダンスを有するように電圧を受ける。ＴＦＴのソース電極２１とドレイン電極との間の低インピーダンスは、列電極１１に存在するデータ電圧を画素１８の画素電極２２に接続されるドレイン電極に供給することができる。このようなやり方で、列電極１１に存在するデータ信号は、ＴＦＴがそのゲートの適切なレベルにより選択される場合、ＴＦＴのドレイン電極に接続される画素又は表示素子１８の画素電極に伝送される。図示される実施の形態では、図１の表示装置は、それぞれの表示素子１８の位置で更なるキャパシタ２３を有している。この更なるキャパシタ２３は、画素電極２２と１以上のストレージキャパシタライン２４との間に接続されている。ＴＦＴの代わりに、ダイオード、ＭＩＭ等のような他のスイッチング素子を使用することができる。電気泳動媒体は、米国特許第5,961,804号、米国特許第6,1120,839号及び米国特許第6,130,774号からそれ自身知られており、Ｅ−ｉｎｋ社から得られる場合がある。
【００２１】
図３は、駆動パルスの直前のシェイキングパルスを示している。Ｖdrとも呼ばれる駆動パルスＶdn，Ｖdn+1，Ｖdn+2，Ｖdn+3に先行するシェイキングパルスＳＰの導入により、イメージリテンションが低減される。かかる駆動方法は、公開されていない特許出願PHNL020441から知られている。
【００２２】
図４は、シェイキングパルス、リセットパルス、シェイキングパルス及び駆動パルスからなるシーケンスを有する画素電圧を示している。画素電圧ＶＤのリセットパルスＲＰは、限界の光学的状態のうちの１つに対する表示をリセットするために導入される。黒色粒子及び白色粒子が使用される場合、限界の光学的状態では、黒色粒子及又は白色粒子のいずれかが透明電極の近くにあり、見る人は、黒の表示又は白の表示をそれぞれ見る。駆動パルスＶdrが良好に定義された限界状態のうちの１つからの光学的状態を変えるので、駆動パルスＶdrに先行するリセットパルスＲＰの使用により、グレイスケールの表示が改善される。このように、駆動パルスＶdrは、改善された精度をもつ画素のグレイレベルを決定する。シェイキングパルスＳＰ１は、リセットパルスＲＰに先行し、シェイキングパルスＳＰ２は、リセットパルスＲＰと駆動パルスＲＰとの間に起こる。かかる駆動方法は、公開されていない特許出願PHNL030091号から知られている。  
シェイキングパルスＳＰ１又はＳＰ２のいずれかのみを使用することが可能である。
【００２３】
図５は、ある画素の明るさへのシェイキングパルスの影響を示している。図５Ａは、一連のシェイキングパルスＳＰを有する画素電圧ＶＤを示している。図５Ｂでは、Ｗにより示される上のラインは、画素１８への一連のシェイキングパルスＳＰの影響を示しており、この画素は、限界の光学的状態であるホワイトにある。Ｍにより示される真中のラインは、画素１８への一連のシェイキングパルスＳＰの影響を示しており、この画素は、中間の光学的状態であるミドルグレイにある。Ｂにより示される下のラインは、画素１８への一連のシェイキングパルスＳＰの影響を示しており、この画素は、限界の光学的状態であるブラックにある。粒子が白及び黒以外の色を有する場合、限界の状態は、この他の色をそれぞれ有する。
【００２４】
同じ一連のシェイキングパルスＳＰの明るさへの影響は、中間の光学的状態Ｍについてよりも、限界の光学的状態についての方が少ないことが明らかに例示されている。
【００２５】
図６は、エネルギーコンテンツが画素の光学的状態に依存するシェイキングパルスに関する本発明に係る実施の形態を示している。図６Ａは、ＳＰＬ１により示される画素電圧ＶＤを示しており、この画素電圧は、２つの限界の光学的状態のうちの１つにあるか、又は２つの限界の光学的状態のうちの１つに近い。ある限界の光学的状態の近くでは、限界の光学的状態を含むことも更に意図される。見る人によって見られる画素１８の色は、使用される粒子の色に依存する。図６Ｂは、ＳＰＭ１により示される画素電圧ＶＤを示しており、この画素電圧は、粒子が混合されたときに起こる中間の光学的状態の近くにある画素１８に印加される一連のシェイキングパルスを有している。白色粒子及び黒色粒子が使用される場合、限界の光学的状態は、ブラック及びホワイトであり、中間の光学的状態は、ミドルグレイである。
【００２６】
一連のシェイキングパルスＳＰＬ１とＳＰＭ１のパルスの振幅Ａと−Ａ及び期間ＴＲ１は等しい。一連のシェイキングパルスＳＰＬ１は、瞬間ｔ０から瞬間ｔ２に続き、一連のシェイキングパルスＳＰＭ１は、瞬間ｔ０から瞬間ｔ１に続く。このように、シェイキングパルスＳＰＭ１が印加される期間は、シェイキングパルスＳＰＬ１が印加される期間よりも短く、結果的に、一連のシェイキングパルスＳＰＬ１のエネルギーのコンテンツは、一連のシェイキングパルスＳＰＭ１のエネルギーのコンテンツよりも大きい。一連のシェイキングパルスＳＰＬ１及びＳＰＭ１の両者により生じた明るさの乱れは、より等しくなる。
【００２７】
画素の光学的状態の関数として中間の光学的状態について適切なパルス数から始めて、一連のシェイキングパルスＳＰにおけるパルス数を次第に増やすことができる。また、予め決定された番号の数から選択することもできる。全ての一連のシェイキングパルスが同じ瞬間ｔ０で始まることは関係がない。
【００２８】
図７は、エネルギーコンテンツが画素の光学的状態に依存するシェイキングパルスに関する、本発明に係る実施の形態を示す図である。図７Ａは、ＳＰＬ２により示され、２つの限界の光学的状態のうちの一方に近い画素１８に印加される一連のシェイキングパルスを有する画素電圧ＶＤを示している。図７Ｂは、ＳＰＭ２により示され、粒子が混合されているときに起こる中間の光学的状態に近い画素１８に印加される一連のシェイキングパルスを有する画素電圧ＶＤを示している。
【００２９】
一連のシェイキングパルスＳＰＬ２及びＳＰＭ２のパルスの振幅Ａと−Ａ及びパルスの数は等しい。一連のシェイキングパルスＳＰＬ２は、瞬間ｔ１０から瞬間ｔ１２に続き、一連のシェイキングパルスＳＰＭ２は、瞬間ｔ１０からｔ１１まで続く。一連のシェイキングパルスＳＰＬ２のパルスの期間ＴＲ２は、一連のシェイキングパルスＳＰＭ２のパルスの期間ＴＲ１の２倍である。このように、一連のシェイキングパルスＳＰＬ２のエネルギーコンテンツは、一連のシェイキングパルスＳＰＭ２のエネルギーコンテンツよりも大きい。一連のシェイキングパルスＳＰＬ２及びＳＰＭ２の両者により生じる明るさの乱れは、より等しくなる。
【００３０】
画素１８の光学的状態の関数として、中間の光学的状態について適したパルスの期間ＴＲ１から始めて、一連のシェイキングパルスＳＰにおけるパルスの期間を次第に増加することができる。また、予め決定された数の可能な期間から選択することもできる。全ての一連のシェイキングパルスが同じ瞬間ｔ０で始まることは関係ない。
【００３１】
図８は、エネルギーコンテンツが画素の光学的状態に依存するシェイキングパルスに関する本発明に係る実施の形態を示している。図８Ａは、画素１８に印加される一連のシェイキングパルスＳＰＬ３を示しており、この画素は、２つの限界の光学的状態のうちの一方に近い。図８Ｂは、画素１８に印加される一連のシェイキングパルスＳＰＭ３を示しており、粒子が混合されているときに起こる中間の光学的状態に近い。
【００３２】
一連のシェイキングパルスＳＰＬ３及びＳＰＭ３のパルスの数、並びにこれらのパルスが印加される期間は等しい。一連のシェイキングパルスＳＰＬ３及びＳＰＭ３の両者は、瞬間ｔ２０から瞬間ｔ２１に続く。一連のシェイキングパルスＳＰＬ３及びＳＰＭ３のパルスの両者は、期間すなわちパルス幅ＴＲ１を有している。一連のシェイキングパルスＳＰＬ３のパルスの振幅は、シェイキングパルスＳＰＭ３のパルスの振幅よりも大きい。したがって、一連のシェイキングパルスＳＰＬ３のエネルギーコンテンツは、一連のシェイキングパルスＳＰＭ３のエネルギーコンテンツよりも大きい。一連のシェイキングパルスＳＰＬ３及びＳＰＭ３の両者により生じた明るさの乱れは、より等しくなる。
【００３３】
画素１８の光学的状態の関数として中間の光学的状態について適した振幅から始めて、一連のシェイキングパルスＳＰにおけるパルスの振幅を次第に増加することができる。また、予め決定された数の可能な振幅から選択することもできる。
【００３４】
なお、先に説明された実施の形態は、本発明を限定することよりはむしろ例示するものであり、当業者であれば、添付された特許請求の範囲から逸脱することなしに多くの代替的な実施の形態を設計することができる。たとえば、シェイキングパルスの特性の如何なる組み合わせは、異なるエネルギーコンテンツを得るために使用される場合がある。
【００３５】
請求項では、括弧の間に配置された如何なる符号は請求項を限定するものとして解釈されるべきではない。単語「有する（comprising）」は、請求項に列挙された以外の構成要素又はステップの存在を排除するものではない。本発明は、幾つかの別個の構成要素を有するハードウェア、及び適切にプログラムされたコンピュータにより実現することができる。幾つかの手段を列挙している装置の請求項では、これらの手段の幾つかは、１つの同じアイテムのハードウェアにより実施することができる。
【図面の簡単な説明】
【００３６】
【図１】電気泳動ディスプレイの一部に関する断面図である。
【図２】電気泳動ディスプレイの一部に関する等価回路による画像表示装置を概念的に示す図である。
【図３】駆動パルスの直前のシェイキングパルスを示す図である。
【図４】一連のシェイキングパルス、リセットパルス、一連のシェイキングパルス及び駆動パルスからなるシーケンスを有する画素電圧を示す図である。
【図５】シェイキングパルスのある画素の明るさへの影響を示す図である。
【図６】エネルギーコンテンツが画素の光学的状態に依存するシェイキングパルスに関する本発明に係る実施の形態を示す図である。
【図７】エネルギーコンテンツが画素の光学的状態に依存するシェイキングパルスに関する本発明に係る実施の形態を示す図である。
【図８】エネルギーコンテンツが画素の光学的状態に依存するシェイキングパルスに関する本発明に係る実施の形態を示す図である。
【図１】
2005526996.tif 000003
【図２】
2005526996.tif 000004
【図３】
2005526996.tif 000005
【図４】
2005526996.tif 000006
2005526996.tif 000007
2005526996.tif 000008
2005526996.tif 000009
2005526996.tif 000010
【国際調査報告】
2005526996.tif 000011
2005526996.tif 000012
2005526996.tif 000013